(57)【要約】【課題】大容量のメモリを備えることなく、ユーザが想定していた色表現で印刷する。【解決手段】色毎に給紙台に載置された印刷媒体をそれぞれ給紙する給紙部２０と、画像データに基づいて、給紙部２０により給紙された印刷媒体に対して印刷する印刷部５０と、画像データから画素毎の色を取得する画像色取得部７１と、給紙台毎に載置された印刷媒体の色を取得する印刷媒体色取得部７２と、画素毎の色及び印刷媒体の色に基づいて、給紙部２０の給紙台のうちいずれかの給紙台を選択する選択部７３と、選択部３０により選択された給紙台に載置された印刷媒体を印刷部５０に給紙するように、給紙部２０を制御する機器制御部７５とを備える。【選択図】図１
2012126068.tif 000002
【特許請求の範囲】
【請求項１】
給紙台に載置された印刷媒体をそれぞれ給紙する給紙手段と、
画像データに基づいて、前記給紙手段により給紙された印刷媒体に対して印刷する印刷手段と、
前記画像データから画素毎の色を取得する画像色取得手段と、
前記画像色取得手段により取得した前記画素毎の色に基づいて、印刷媒体の色を指定するように制御する制御手段と、
を備えたことを特徴とする印刷装置。
【請求項２】
前記画素の色の範囲毎に、最適な印刷媒体の色の種類が関連付けられた最適印刷媒体色テーブルを記憶する最適印刷媒体色テーブル記憶手段と、
前記印刷媒体の色の範囲毎に、最も近い印刷媒体の色の種類が関連付けられた類似印刷媒体色テーブルを記憶する類似印刷媒体色テーブル記憶手段と、を更に備え、
前記制御手段は、
前記最適印刷媒体色テーブルと前記画像色取得手段により取得された画素毎の色とに基づいて、最適な印刷媒体の色の種類を抽出すると共に、前記類似印刷媒体色テーブルに基づいて、前記印刷媒体色取得手段により取得された印刷媒体の色に対応する最も近い印刷媒体の色の種類として抽出し、前記抽出された最適な印刷媒体の色の種類と前記最も近い印刷媒体の色の種類とが一致する場合に、前記一致した前記最も近い印刷媒体の色の種類の印刷媒体を選択指示するように制御する  
ことを特徴とする請求項１記載の印刷装置。
【請求項３】
前記制御手段により、前記抽出された最適な印刷媒体の色の種類と前記最も近い印刷媒体の色の種類とが一致しないと判定された場合に、外部入力に基づいて前記画像データの色補正を行う色補正手段と、をさらに備えた
ことを特徴とする請求項２記載の印刷装置。
【請求項４】
前記給紙手段は、印刷媒体の色毎に給紙台に載置された印刷媒体をそれぞれ給紙する手段であって、
さらに、前記給紙台毎に載置された印刷媒体の色を取得する印刷媒体色取得手段と、
前記画素毎の色及び前記印刷媒体の色に基づいて、前記給紙手段の給紙台のうちいずれかの給紙台を選択する選択手段と、
前記印刷手段で使用可能なインクのインク色と前記印刷媒体の色との組合せに対して、補正可能な色である補正可能色が関連付けられた補正可能色テーブルを記憶する補正可能色テーブル記憶手段と、をさらに備え、
前記選択手段は、
前記画像色取得手段により取得された画素毎の色に基づいて、最も多い色を補正色として決定し、前記補正可能色テーブルに基づいて、前記印刷手段で使用されるインクのインク色と、前記印刷媒体色取得手段により取得された印刷媒体の色とに関連する１以上の前記補正可能色を選択し、前記選択された１以上の補正可能色の中に、前記補正色が含まれている場合に、前記補正色に対応する印刷媒体の色を抽出し、この抽出された印刷媒体の色の印刷媒体が載置された給紙台を選択する
ことを特徴とする請求項１記載の印刷装置。
【請求項５】
各色の印象を示す色イメージと、前記印刷手段で使用可能なインクのインク色と、前記印刷媒体の色とが関連付けられた印刷媒体色テーブルを記憶する印刷媒体色テーブル記憶手段と、をさらに備え、
前記選択手段は、
前記選択された１以上の補正可能色の中に前記補正色が含まれていない場合に、前記印刷媒体色テーブルに基づいて、外部入力により選択された前記色イメージ及び前記印刷手段で使用されるインクのインク色に関連する前記印刷媒体の色を抽出し、この抽出された印刷媒体の色の印刷媒体が載置された給紙台を選択する
ことを特徴とする請求項４記載の印刷装置。
【発明の詳細な説明】
【技術分野】
【０００１】
本発明は、最適な印刷用紙を選択して印刷する印刷装置に関する。
【背景技術】
【０００２】
一般的に、画像データに基づいて印刷する印刷装置においては、画像処理ソフトウェア等を用いてユーザが画像データを好みの色味に加工した後、印刷用紙に対して印刷を行っている。
【０００３】
しかしながら、同じ画像データに基づいて印刷したとしても、印刷用紙の色によっては、印刷の仕上がりが異なる場合がある。例えば、白色の印刷用紙に対して印刷した場合と、黄色の印刷用紙に対して印刷した場合を比較すると、印刷用紙の色味と、印刷に用いるインクの色味とのそれぞれの影響によって、印刷された画像の色表現が、ユーザが想定していた色表現と異なる場合がある。
【０００４】
また、特許文献１には、印刷コストを抑えるために、例えば、Ｃ（シアン）、Ｍ（マゼンタ）、Ｙ（イエロー）、Ｋ（ブラック）の４色のうち、選択的に２色のインクで印刷する２色印刷を行うプリンタが提案されている。
【０００５】
このような２色印刷を行うプリンタでは、特に、印刷用紙の色味の影響が強く、ユーザが想定していた色表現どおりに印刷できないことが多かった。
【０００６】
特許文献２には、選択された印刷用紙の色に対応する色補正データテーブルを持ち、色補正テーブルに基づいて、印刷用紙色に応じた画像処理を行う印刷装置が記載されている。
【先行技術文献】
【特許文献】
【０００７】
【特許文献１】特開２００９−１６６４５１号公報
【特許文献２】特開２００５−３４８２２０号公報
【発明の概要】
【発明が解決しようとする課題】
【０００８】
しかしながら、特許文献２に記載の印刷装置では、色補正テーブルに基づいて、印刷用紙色に応じた画像形成処理を行うので、事前に色補正テーブルを数多く準備し、メモリに読み込まなければならないので、大容量のメモリを備える必要があり、印刷装置の製造コストが高くなるという課題があった。
【０００９】
本発明は、上記課題に鑑みてなされたものであり、大容量のメモリを備えることなく、ユーザが想定していた色表現で印刷する印刷装置を提供することを目的とする。
【課題を解決するための手段】
【００１０】
上記目的を達成するため、本発明に係る印刷装置の第１の特徴は、給紙台に載置された印刷媒体をそれぞれ給紙する給紙手段と、画像データに基づいて、前記給紙手段により給紙された印刷媒体に対して印刷する印刷手段と、前記画像データから画素毎の色を取得する画像色取得手段と、前記画像色取得手段により取得した前記画素毎の色に基づいて、印刷媒体の色を指定するように制御する制御手段と、を備えたことにある。
【００１１】
本発明に係る印刷装置の第２の特徴は、前記画素の色の範囲毎に、最適な印刷媒体の色の種類が関連付けられた最適印刷媒体色テーブルを記憶する最適印刷媒体色テーブル記憶手段と、前記印刷媒体の色の範囲毎に、最も近い印刷媒体の色の種類が関連付けられた類似印刷媒体色テーブルを記憶する類似印刷媒体色テーブル記憶手段と、を更に備え、前記制御手段は、前記最適印刷媒体色テーブルと前記画像色取得手段により取得された画素毎の色とに基づいて、最適な印刷媒体の色の種類を抽出すると共に、前記類似印刷媒体色テーブルに基づいて、前記印刷媒体色取得手段により取得された印刷媒体の色に対応する最も近い印刷媒体の色の種類として抽出し、前記抽出された最適な印刷媒体の色の種類と前記最も近い印刷媒体の色の種類とが一致する場合に、前記一致した前記最も近い印刷媒体の色の種類の印刷媒体を選択指示するように制御することにある。
【００１２】
本発明に係る印刷装置の第３の特徴は、前記制御手段により、前記抽出された最適な印刷媒体の色の種類と前記最も近い印刷媒体の色の種類とが一致しないと判定された場合に、外部入力に基づいて前記画像データの色補正を行う色補正手段と、をさらに備えたことにある。
【００１３】
本発明に係る印刷装置の第４の特徴は、前記給紙手段は、印刷媒体の色毎に給紙台に載置された印刷媒体をそれぞれ給紙する手段であって、さらに、前記給紙台毎に載置された印刷媒体の色を取得する印刷媒体色取得手段と、前記画素毎の色及び前記印刷媒体の色に基づいて、前記給紙手段の給紙台のうちいずれかの給紙台を選択する選択手段と、前記印刷手段で使用可能なインクのインク色と前記印刷媒体の色との組合せに対して、補正可能な色である補正可能色が関連付けられた補正可能色テーブルを記憶する補正可能色テーブル記憶手段と、をさらに備え、前記選択手段は、前記画像色取得手段により取得された画素毎の色に基づいて、最も多い色を補正色として決定し、前記補正可能色テーブルに基づいて、前記印刷手段で使用されるインクのインク色と、前記印刷媒体色取得手段により取得された印刷媒体の色とに関連する１以上の前記補正可能色を選択し、前記選択された１以上の補正可能色の中に、前記補正色が含まれている場合に、前記補正色に対応する印刷媒体の色を抽出し、この抽出された印刷媒体の色の印刷媒体が載置された給紙台を選択することにある。
【００１４】
本発明に係る印刷装置の第５の特徴は、各色の印象を示す色イメージと、前記印刷手段で使用可能なインクのインク色と、前記印刷媒体の色とが関連付けられた印刷媒体色テーブルを記憶する印刷媒体色テーブル記憶手段と、をさらに備え、前記選択手段は、前記選択された１以上の補正可能色の中に前記補正色が含まれていない場合に、前記印刷媒体色テーブルに基づいて、外部入力により選択された前記色イメージ及び前記印刷手段で使用されるインクのインク色に関連する前記印刷媒体の色を抽出し、この抽出された印刷媒体の色の印刷媒体が載置された給紙台を選択することにある。
【発明の効果】
【００１５】
本発明に係る印刷装置の第１の特徴によれば、画素毎の色に基づいて、印刷媒体の色を指定するように制御するので、大容量のメモリを備えることなく、ユーザが想定していた色表現で印刷することができる。
【００１６】
本発明に係る印刷装置の第２の特徴によれば、最適印刷媒体色テーブルと画像色取得手段により取得された画素毎の色とに基づいて、最適な印刷媒体の色の種類を抽出すると共に、類似印刷媒体色テーブルに基づいて、印刷媒体色取得手段により取得された印刷媒体の色に対応する最も近い印刷媒体の色の種類として抽出し、抽出された最適な印刷媒体の色の種類と前記最も近い印刷媒体の色の種類とが一致する場合に、一致した最も近い印刷媒体の色の種類の印刷媒体を選択するので、４色のインクを使用して印刷する場合においても、画像の色と印刷用紙の色とが重なり合うことでユーザが想定していた色表現が可能となる。
【００１７】
本発明に係る印刷装置の第３の特徴によれば、抽出された最適な印刷媒体の色の種類と最も近い印刷媒体の色の種類とが一致しないと判定された場合に、外部入力に基づいて画像データの色補正を行うので、抽出された最適な印刷用紙の色の種類と最も近い印刷用紙の色の種類とが一致するように、画像データの色補正を行うことができ、これにより、最適な印刷用紙を選択することができるので、ユーザが想定していた色表現が可能となる。
【００１８】
本発明に係る印刷装置の第４の特徴によれば、画像色取得手段により取得された画素毎の色に基づいて、最も多い色を補正色として決定し、補正可能色テーブルに基づいて、印刷手段で使用されるインクのインク色と、印刷媒体色取得手段により取得された印刷媒体の色とに関連する１以上の補正可能色を選択し、選択された１以上の補正可能色の中に、補正色が含まれている場合に、補正色に対応する印刷媒体の色を抽出し、この抽出された印刷媒体の色の印刷媒体が載置された給紙台を選択するので、４色のインクのうち２色のみを使用して印刷する場合においても、画像の色と印刷用紙の色とが重なり合うことでユーザが想定していた色表現が可能となる。
【００１９】
本発明に係る印刷装置の第５の特徴によれば、選択された１以上の補正可能色の中に補正色が含まれていない場合に、印刷媒体色テーブルに基づいて、外部入力により選択された色イメージ及び印刷手段で使用されるインクのインク色に関連する印刷媒体の色を抽出し、この抽出された印刷媒体の色の印刷媒体が載置された給紙台を選択するので、選択された１以上の補正可能色の中に補正色が含まれていない場合、外部入力に基づいて、強制的に給紙台を選択することができる。
【図面の簡単な説明】
【００２０】
【図１】本発明の実施例１に係るインクジェット印刷装置の機能構成を示した機能構成図である。
【図２】本発明の実施例１に係るインクジェット印刷装置が備える最適印刷媒体色テーブル記憶部に記憶された最適印刷媒体色テーブルの一例を示した図である。
【図３】本発明の実施例１に係るインクジェット印刷装置が備える類似印刷媒体色テーブル記憶部に記憶された類似印刷媒体色テーブルの一例を示した図である。
【図４】本発明の実施例１に係るインクジェット印刷装置における処理手順を示したフローチャートである。
【図５】本発明の実施例１に係るインクジェット印刷装置が備える操作部の表示／入力パネルに表示されたプレビュー画面の一例を示した図である。
【図６】本発明の実施例２に係るインクジェット印刷装置の機能構成を示した機能構成図である。
【図７】本発明の実施例２に係るインクジェット印刷装置が備える補正可能色テーブル記憶部に記憶された補正可能色テーブルの一例を示した図である。
【図８】本発明の実施例２に係るインクジェット印刷装置が備える印刷媒体色テーブル記憶部に記憶された印刷媒体色テーブルの一例を示した図である。
【図９】本発明の実施例２に係るインクジェット印刷装置における処理手順を示したフローチャートである。
【図１０】本発明の実施例２に係るインクジェット印刷装置が備える操作部の表示／入力パネルに表示された印刷イメージ設定画面の一例を示した図である。
【図１１】本発明の実施例２に係るインクジェット印刷装置が備える操作部の表示／入力パネルに表示された警告画面の一例を示した図である。
【図１２】本発明の実施例２に係るインクジェット印刷装置において印刷された印刷用紙の例を示した図である。
【発明を実施するための形態】
【００２１】
本発明の実施の形態について図面を参照して説明する。
【実施例１】
【００２２】
本発明の実施例１では、Ｃ（シアン）、Ｍ（マゼンタ）、Ｙ（イエロー）、Ｋ（ブラック）の４色のヘッドユニットを備え、印刷条件により定められる速度で印刷用紙を搬送しながら、ヘッドユニットから４色のインクを吐出することにより、ライン単位で印刷用紙に印刷するインクジェット印刷装置を例に挙げて説明する。
【００２３】
＜インクジェット印刷装置の機能構成＞
図１は、本発明の実施例１に係るインクジェット印刷装置１の機能構成を示した機能構成図である。
【００２４】
図１に示すように、本発明の実施例１に係るインクジェット印刷装置１は、給紙部２０と、印刷部５０と、ハードディスク８０と、画像読み取り部６２と、外部インタフェース部６３と、操作部６０と、制御部７０と、機器制御部７５とを備えている。
【００２５】
給紙部２０は、第１〜第３給紙トレイ２１〜２３を備えており、第１〜第３給紙トレイ２１〜２３は、それぞれ異なる色に着色された印刷用紙が積層された給紙台を備え、この給紙台から印刷用紙を１枚づつ印刷部５０へ向かって搬送経路上を搬送させる。ここでは、第１〜第３給紙トレイ２１〜２３に、それぞれＭ（マゼンタ）、Ｙ（イエロー）、Ｗ（ホワイト）の３種類の色の印刷用紙が給紙台に載置されているとする。
【００２６】
また、給紙部２０には、第１〜第３給紙トレイ２１〜２３にそれぞれ対応して第１〜第３給紙色センサ２５〜２７が設けられており、第１〜第３給紙色センサ２５〜２７は、第１〜第３給紙トレイ２１〜２３に載置されたそれぞれの印刷用紙の色を検出する。
【００２７】
印刷部５０は、複数の印字ヘッドが組み込まれたＣ（シアン）、Ｍ（マゼンタ）、Ｙ（イエロー）、Ｋ（ブラック）の各色のヘッドユニットを備え、印刷条件により定められる速度で印刷用紙を搬送しながら、ヘッドユニットからインクを吐出することにより、ライン単位で印刷用紙に印刷する。
【００２８】
ハードディスク８０は、記憶領域として、最適印刷媒体色テーブル記憶部８３と、類似印刷媒体色テーブル記憶部８４とを備える。
【００２９】
最適印刷媒体色テーブル記憶部８３は、画素の色の範囲毎に、この範囲のインク色のインクで印刷された場合に最もユーザの想定した色表現に近くなる印刷用紙の色である最適な印刷用紙の色の種類が関連付けられた最適印刷媒体色テーブルを記憶する。
【００３０】
図２は、本発明の実施例１に係るインクジェット印刷装置１が備える最適印刷媒体色テーブル記憶部８３に記憶された最適印刷媒体色テーブルの一例を示した図である。
【００３１】
図２に示すように、画素の色（画像データＲＧＢ値７０１）の範囲毎に、最適な印刷用紙の色の種類７０２が関連付けられている。
【００３２】
類似印刷媒体色テーブル記憶部８４は、印刷用紙の色の範囲毎に、予め登録された実在する印刷用紙の色の種類を最も近い印刷用紙の色の種類として関連付けられた類似印刷媒体色テーブルを記憶する。
【００３３】
図３は、本発明の実施例１に係るインクジェット印刷装置１が備える類似印刷媒体色テーブル記憶部８４に記憶された類似印刷媒体色テーブルの一例を示した図である。
【００３４】
図３に示すように、印刷用紙の色の範囲（印刷用紙ＲＧＢ値８０１）毎に、最も近い印刷用紙の色の種類８０２が関連付けられている。
【００３５】
画像読み取り部６２は、インクジェット印刷装置１の上部に設けられ、図示しないが、原稿を載置するコンタクトガラス、このコンタクトガラスに対して接離自在に設けられたカバー、コンタクトガラス上に載置された原稿を走査する走査ユニット、走査された画像を集束するレンズ、及び集束された画像を処理する画像処理部（図示しない）を備えている。そして、走査ユニットがコンタクトガラス上に載置された原稿を１ライン毎に走査し、画像処理部が走査された画像を処理することにより、印刷部５０が印刷するための画像データを読み取る。
【００３６】
外部インタフェース部６３は、画像読み取り部６２との接続インタフェースであり、画像読み取り部６２により読み取られた画像データを制御部７０へ供給する。
【００３７】
操作部６０は、インクジェット印刷装置１の上部に設けられ、表示／入力パネル６１と、読み取りや印刷等を開始させるためのスタートキー、読み取りや印刷等を停止させるためのストップキー、印刷枚数等を入力するためのテンキー（いずれも図示せず）等の各種操作キーとを備え、利用者操作に基づく操作信号を制御部７０に供給する。
【００３８】
操作部６０の表示／入力パネル６１は、前面に配置された感圧式あるいは静電式の透明なタッチパネルと、このタッチパネルの裏面に配置された液晶表示パネル（いずれも図示せず）とを有している。利用者は、液晶表示パネルの表示画面を見ながら、タッチパネルの表面を指などで直接触れることで、用紙色自動選択印刷の設定操作等の各種の設定操作等を行うことができる。
【００３９】
制御部７０は、インクジェット印刷装置１の中枢的制御を行い、画像色取得部７１と、選択部７６と、印刷媒体色取得部７７と、色補正部７４とを備えている。
【００４０】
画像色取得部７１は、画像データから画素毎の色を取得する。
【００４１】
印刷媒体色取得部７７は、利用者操作に基づいて操作部６０の表示／入力パネル６１により設定された印刷用紙の色を取得する。また、印刷媒体色取得部７７は、第１〜第３給紙色センサ２５〜２７により検出された第１〜第３給紙トレイ２１〜２３に載置されたそれぞれの印刷用紙の色を取得する。
【００４２】
選択部７６は、最適印刷媒体色テーブルと画像色取得部７１により取得された画素毎の色とに基づいて、最適な印刷用紙の色の種類を抽出すると共に、類似印刷媒体色テーブルに基づいて、印刷媒体色取得部７７により取得された印刷用紙の色に対応する最も近い印刷用紙の色の種類を抽出し、抽出された最適な印刷用紙の色の種類と最も近い印刷用紙の色の種類とが一致する場合に、一致した最も近い印刷用紙の色の種類の印刷用紙が載置された給紙台を選択する。
【００４３】
色補正部７４は、選択部７６により、抽出された最適な印刷用紙の色の種類と最も近い印刷用紙の色の種類とが一致しないと判定された場合に、操作部６０の表示／入力パネル６１に対する利用者操作に基づいて、画像データの色補正を行う。
【００４４】
機器制御部７５は、給紙部２０の第１〜第３給紙トレイ２１〜２３のうち、選択部７６により選択された給紙トレイが備える給紙台に載置された印刷用紙を印刷部５０に給紙するように、第１〜第３給紙トレイ２１〜２３を制御する。
【００４５】
また、機器制御部７５は、シアンインクジェットヘッド５１と、マゼンタインクジェットヘッド５２と、イエローインクジェットヘッド５３と、ブラックインクジェットヘッド５４とを制御する。
【００４６】
＜インクジェット印刷装置の作用＞
次に、本発明の実施例１に係るインクジェット印刷装置１における作用について説明する。
【００４７】
図４は、本発明の実施例１に係るインクジェット印刷装置１における処理手順を示したフローチャートである。なお、図４のフローチャートに示す処理は、利用者による操作部６０の操作により、印刷が要求された場合に実行される。
【００４８】
図４に示すように、制御部７０は、用紙色自動選択印刷は有効であるか否かを判定する（ステップＳ１０１）。具体的には、利用者操作により操作部６０の表示／入力パネル６１から用紙色自動選択印刷が設定されたか否かを判定する。
【００４９】
ステップＳ１０１において、用紙色自動選択印刷は無効であると判定された場合（ＮＯの場合）、第１〜第３給紙トレイ２１〜２３をのうち、利用者による操作部６０の操作により指定された給紙トレイを選択する（ステップＳ１０２）。
【００５０】
一方、ステップＳ１０１において、用紙色自動選択印刷は有効であると判定された場合（ＹＥＳの場合）、画像色取得部７１は、画像読み取り部６２により読み込まれた画像データから画素毎の色を取得する（ステップＳ１０３）。例えば、画像データが８ビットの画像データである場合、画素毎に、（Ｒ，Ｇ，Ｂ）＝（０〜２５５，０〜２５５，０〜２５５）のデータとして取得する。
【００５１】
ステップＳ１０３において、画像読み取り部６２により読み込まれた画像データから画素毎の色を取得すると、選択部７６は、最適な印刷用紙の色を決定する（ステップＳ２０５）。具体的には、選択部７６は、最適印刷媒体色テーブル記憶部８３に記憶された最適印刷媒体色テーブルと、画像色取得部７１により取得された画素毎の色とに基づいて、最適な印刷用紙の色の種類を抽出する。
【００５２】
例えば、選択部７６は、図２に示した最適印刷媒体色テーブルに基づいて、画像色取得部７１により取得された画素毎の色が、（Ｒ，Ｇ，Ｂ）＝（１５，５，５）であった場合、最適な印刷用紙の色の種類として、“Ｈ２”を抽出する。
【００５３】
次に、選択部７６は、最も近い印刷媒体の色を決定する（ステップＳ２０７）。具体的には、選択部７６は、類似印刷媒体色テーブル記憶部８４に記憶された類似印刷媒体色テーブルに基づいて、印刷媒体色取得部７７により取得された印刷用紙の色に対応する印刷用紙の色の種類を最も近い印刷用紙の色の種類として抽出する。
【００５４】
例えば、利用者により操作部６０の表示／入力パネル６１から、印刷用紙の色を（Ｒ，Ｇ，Ｂ）＝（１７，４，４）として設定された場合、印刷媒体色取得部７７は、この設定されたデータを取得し、選択部７６は、図３に示した類似印刷媒体色テーブルに基づいて、この（Ｒ，Ｇ，Ｂ）＝（１７，４，４）が該当する最も近い印刷用紙の色の種類として、“Ｈ２”を抽出する。
【００５５】
次に、選択部７６は、ステップＳ１０３において取得された画素毎の色に最適な印刷用紙はあるか否かを判定する（ステップＳ２０９）。具体的には、選択部７６は、抽出された最適な印刷媒体の色の種類と最も近い印刷媒体の色の種類とが一致する場合、最適な印刷用紙があると判定する。
【００５６】
ステップＳ２０９において、最適な印刷用紙があると判定された場合（ＹＥＳの場合）、選択部７６は、第１〜第３給紙トレイ２１〜２３をのうち、最も近い印刷用紙の色の種類の印刷用紙が載置された給紙台を選択する（ステップＳ２１１）。
【００５７】
一方、ステップＳ２０９において、最適な印刷用紙はないと判定された場合（ＮＯの場合）、選択部７６は、手動で印刷用紙が選択されたか否かを判定する（ステップＳ２１３）。具体的には、利用者操作に基づいて操作部６０の表示／入力パネル６１により、第１〜第３給紙トレイ２１〜２３をのうち、いずれか１つの給紙トレイが選択されると、手動で印刷用紙が選択されたと判定する。
【００５８】
次に、制御部７０は、操作部６０の表示／入力パネル６１にプレビュー画面を表示させる（ステップＳ２１５）。
【００５９】
図５は、本発明の実施例１に係るインクジェット印刷装置１が備える操作部６０の表示／入力パネル６１に表示されたプレビュー画面の一例を示した図である。
【００６０】
図５に示すように、プレビュー画面には、ステップＳ２１３において手動で選択された印刷用紙の色に印刷した場合におけるサムネイル画像７０１と、表示されたサムネイル画像７０１に対して赤（Ｒ）の色合いを調整するための色調整バー７０２と、緑（Ｇ）の色合いを調整するための色調整バー７０３と、青（Ｂ）の色合いを調整するための色調整バー７０４とが表示されている。利用者操作により各調整バーが設定されることによって、ＲＧＢそれぞれの色に対して、サムネイル画像７０１の色合いを全体的にシフトさせる。
【００６１】
そして、図５に示したプレビュー画面において、利用者操作によりＯＫボタン７０５が選択された場合、ＲＧＢ調整が完了したと判定し（ステップＳ２１７においてＹＥＳの場合）、機器制御部７５が、印刷処理を実行する（ステップＳ２１９）。具体的には、機器制御部７５は、ステップＳ２１１又はＳ２１３において、選択された給紙トレイから印刷用紙を印刷部５０へ給紙し、画像データ又はステップＳ２１５〜Ｓ２１７でＲＧＢ調整された画像データに基づいて、Ｃ（シアン）、Ｍ（マゼンタ）、Ｙ（イエロー）、Ｋ（ブラック）の各色のヘッドユニットからインクを吐出することにより、ライン単位で印刷用紙に印刷する。
【００６２】
以上のように、本発明の実施例１に係るインクジェット印刷装置１によれば、最適印刷媒体色テーブルと画像色取得部７２により取得された画素毎の色とに基づいて、最適な印刷用紙の色の種類を抽出すると共に、類似印刷媒体色テーブルに基づいて、印刷媒体色取得部７７により取得された印刷用紙の色に対応する最も近い印刷用紙の色の種類として抽出し、抽出された最適な印刷用紙の色の種類と最も近い印刷用紙の色の種類とが一致する場合に、一致した最も近い印刷用紙の色の種類の印刷用紙が載置された給紙台を選択するので、４色のインクを使用して印刷する場合においても、画像の色と印刷用紙の色とが重なり合うことでユーザが想定していた色表現が可能となる。
【００６３】
また、本発明の実施例１に係るインクジェット印刷装置１によれば、抽出された最適な印刷用紙の色の種類と最も近い印刷用紙の色の種類とが一致するように、画像データの色補正を行うことができ、これにより、最適な印刷用紙を選択することができ、ユーザが想定していた色表現が可能となる。
【００６４】
また、本発明の実施例１に係るインクジェット印刷装置１では、制御部７０と機器制御部７５とを備える構成としたが、これに限らず、機器制御部７５が制御部７０に含まれる構成としてもよい。また、選択部７６が機器制御部７５に含まれる構成としてもよい。
【実施例２】
【００６５】
本発明の実施例１では、Ｃ（シアン）、Ｍ（マゼンタ）、Ｙ（イエロー）、Ｋ（ブラック）の４色のヘッドユニットを備え、印刷条件により定められる速度で印刷用紙を搬送しながら、ヘッドユニットから４色のインクを吐出することにより、ライン単位で印刷用紙に印刷するインクジェット印刷装置を例に挙げて説明した。
【００６６】
本発明の実施例２では、Ｃ（シアン）、Ｍ（マゼンタ）、Ｙ（イエロー）、Ｋ（ブラック）の４色のヘッドユニットを備え、印刷条件により定められる速度で印刷用紙を搬送しながら、４色のインクのうち選択された２色のインクをヘッドユニットからインクを吐出することにより、ライン単位で印刷用紙（印刷媒体）に印刷するインクジェット印刷装置を例に挙げて説明する。
【００６７】
＜インクジェット印刷装置の機能構成＞
図６は、本発明の実施例２に係るインクジェット印刷装置２の機能構成を示した機能構成図である。
【００６８】
図６に示すように、本発明の実施例２に係るインクジェット印刷装置２は、給紙部２０と、印刷部５０と、ハードディスク８０と、画像読み取り部６２と、外部インタフェース部６３と、操作部６０と、制御部７０と、機器制御部７５とを備える。
【００６９】
これらの構成のうち、給紙部２０と、画像読み取り部６２と、外部インタフェース部６３と、操作部６０とは、それぞれ本発明の実施例１に係るインクジェット印刷装置１が備える同一符号が付された構成と同一であるので、説明を省略する。
【００７０】
印刷部５０は、シアンインクジェットヘッド５１と、マゼンタインクジェットヘッド５２と、イエローインクジェットヘッド５３と、ブラックインクジェットヘッド５４とを備えており、印刷条件により定められる速度で印刷用紙を搬送しながら、それぞれのインクジェットヘッドからインクを吐出することにより、ライン単位で印刷用紙に印刷する。
【００７１】
ハードディスク８０は、記憶領域として、補正可能色テーブル記憶部８１と、印刷媒体色テーブル記憶部８２とを備える。
【００７２】
補正可能色テーブル記憶部８１は、印刷部５０で使用可能なインクのインク色と、印刷用紙の色との組合せに対して、ユーザが想定する色表現となるように補正することが可能な色である補正可能色が関連付けられた補正可能色テーブルを記憶する。
【００７３】
図７は、本発明の実施例２に係るインクジェット印刷装置２が備える補正可能色テーブル記憶部８１に記憶された補正可能色テーブルの一例を示した図である。
【００７４】
図７に示すように、シアンインクジェットヘッド５１と、マゼンタインクジェットヘッド５２と、イエローインクジェットヘッド５３と、ブラックインクジェットヘッド５４ととがそれぞれ備えるインクのインク色１１０と、第１〜第３給紙トレイ２１〜２３の給紙台に積層される印刷用紙の色１２０との組合せに対して、補正可能色が関連付けられている。
【００７５】
ここでは、インク色１１０として、マゼンタ１１１と、シアン１１２と、イエロー１１３と、ブラック１１４とを有しており、印刷用紙の色１２０として、マゼンタ１２１と、シアン１２２と、イエロー１２３とを有している。
【００７６】
印刷媒体色テーブル記憶部８２は、各色の印象を示す色イメージと、インク色と、印刷用紙の色とが関連付けられた印刷媒体色テーブルを記憶する。
【００７７】
図８は、本発明の実施例２に係るインクジェット印刷装置２が備える印刷媒体色テーブル記憶部８２に記憶された印刷媒体色テーブルの一例を示した図である。
【００７８】
図８に示すように、各色の印象を示す色イメージ２０１と、印刷部５０により主として使用されるインクであるメインインクのインク色２０３と、印刷部５０により従として使用されるインクであるサブインクのインク色２０４と、印刷用紙の色２０５と、印刷用紙の色２０５に対応する具体的な色の例を示す印刷用紙の詳細色２０６とが関連付けられている。
【００７９】
制御部７０は、インクジェット印刷装置２の中枢的制御を行い、画像色取得部７１と、選択部７３と、印刷媒体色取得部７２とを備えている。これらの構成のうち、画像色取得部７１は、本発明の実施例１に係るインクジェット印刷装置１が備える同一符号が付された構成と同一であるので、説明を省略する。
【００８０】
印刷媒体色取得部７２は、第１〜第３給紙色センサ２５〜２７により検出された第１〜第３給紙トレイ２１〜２３に載置されたそれぞれの印刷用紙の色を取得する。
【００８１】
選択部７３は、画像色取得部７１により取得された画素毎の色に基づいて、最も多い色を補正色として決定し、補正可能色テーブルに基づいて、印刷部５０で使用されるインクのインク色と、印刷媒体色取得部７２により取得された印刷用紙の色とに関連する１以上の補正可能色を選択し、選択された１以上の補正可能色の中に、補正色が含まれている場合に、補正色に対応する印刷用紙の色を抽出し、この抽出された印刷用紙の色の印刷用紙が載置された給紙台を選択する。
【００８２】
また、選択部７３は、選択された１以上の補正可能色の中に補正色が含まれていない場合に、印刷媒体色テーブルに基づいて、利用者操作に基づいて操作部６０の表示／入力パネル６１から選択された色イメージ及び印刷部５０で使用されるインクのインク色に関連する印刷用紙の色を抽出し、この抽出された印刷用紙の色の印刷用紙が載置された給紙台を選択する。
【００８３】
機器制御部７５は、給紙部２０の第１〜第３給紙トレイ２１〜２３のうち、選択部７３により選択された給紙トレイが備える給紙台に載置された印刷用紙を印刷部５０に給紙するように、第１〜第３給紙トレイ２１〜２３を制御する。
【００８４】
また、機器制御部７５は、シアンインクジェットヘッド５１と、マゼンタインクジェットヘッド５２と、イエローインクジェットヘッド５３と、ブラックインクジェットヘッド５４とを制御する。具体的には、機器制御部７５は、画像読み取り部６２により読み取られた画像データに含まれるタグ情報、又は利用者操作に基づいて操作部６０の表示／入力パネル６１により設定されたインク色に基づいて、使用する２色のインク色を選択し、この選択された２色のインク色のインクをそれぞれ２つのインクジェットヘッドから吐出するように、シアンインクジェットヘッド５１と、マゼンタインクジェットヘッド５２と、イエローインクジェットヘッド５３と、ブラックインクジェットヘッド５４とのうち、いずれか２つのインクジェットヘッドを制御する。
【００８５】
＜インクジェット印刷装置の作用＞
次に、本発明の実施例２に係るインクジェット印刷装置２における作用について説明する。
【００８６】
図９は、本発明の実施例２に係るインクジェット印刷装置２における処理手順を示したフローチャートである。
【００８７】
なお、図９に示す処理手順の処理ステップのうち、図４に示したフローチャートにおける処理ステップと同一ステップ番号が付された処理は、それぞれ同一処理であるので、説明を省略する。
【００８８】
ステップＳ１０３において、画像読み取り部６２により読み込まれた画像データから画素毎の色を取得すると、選択部７３は、補正色を決定する（ステップＳ１０５）。具体的には、選択部７３は、表１に示すＲＧＢ基準表を用いて、ステップＳ１０３において取得された画素毎の色が赤系、緑系、青系のいずれに属するのかを判定し、画像データの中で、赤系、緑系、青系のうち最も多い画素の色の系統を補正色として決定する。
【表１】
2012126068.tif 000003
【００８９】
次に、選択部７３は、印刷部５０で使用されるインクのインク色と、第１〜第３給紙色センサ２５〜２７により取得された印刷用紙の色とを取得する（ステップＳ１０７）。具体的には、選択部７３は、画像データのタグ情報に含まれるインク色、又は利用者操作に基づいて操作部６０の表示／入力パネル６１により設定されたインク色を取得すると共に、第１〜第３給紙色センサ２５〜２７がそれぞれ取得した給紙台に載置された印刷用紙の色を取得する。ここでは、第１〜第３給紙トレイ２１〜２３に、Ｍ（マゼンタ）、Ｙ（イエロー）、Ｗ（ホワイト）の３種類の色の印刷用紙が給紙台に載置されているので、印刷用紙の色として、“マゼンタ”、“イエロー”、“ホワイト”の３色を取得する。
【００９０】
次に、選択部７３は、使用する印刷用紙の色があるか否かを判定する（ステップＳ１０９）。具体的には、選択部７３は、補正可能色テーブル記憶部８１に記憶された補正可能色テーブルに基づいて、ステップＳ１０７において取得された印刷部５０で使用されるインクのインク色と、第１〜第３給紙色センサ２５〜２７により取得された印刷用紙の色との組合せに関連する１以上の補正可能色を選択し、選択された１以上の補正可能色の中に、補正色が含まれているか否かを判定する。
【００９１】
例えば、ステップＳ１０７において取得された印刷部５０で使用されるインクのインク色が、“マゼンタ”と“ブラック”であり、第１〜第３給紙色センサ２５〜２７により取得された印刷用紙の色が、“マゼンタ”、“イエロー”、“ホワイト”であった場合、図２に示した補正可能色テーブルに基づいて、インク色“マゼンタ”及び“ブラック”と、印刷用紙の色“マゼンタ”、“イエロー”との組合せに関連する補正可能色として、“赤系”を抽出する。ここで、“ホワイト”は対象外とする。
【００９２】
そして、ステップＳ１０５において、補正色が“赤系”として決定されており、補正可能色として、“赤系”が抽出されている場合、補正可能色の中に、補正色が含まれているので、選択部７３は、使用する印刷用紙の色があると判定する。一方、ステップＳ１０５において、補正色が“青系”として決定されており、補正可能色として、“赤系”のみが抽出されている場合、補正可能色の中に、補正色が含まれていないので、選択部７３は、使用する印刷用紙の色がないと判定する。
【００９３】
ステップＳ１０９において、使用する印刷用紙の色があると判定された場合（ＹＥＳの場合）、補正色を印刷用紙の色として決定する（ステップＳ１１１）。
【００９４】
一方、ステップＳ１０９において、使用する印刷用紙の色がないと判定された場合（ＮＯの場合）、選択部７３は、操作部６０の表示／入力パネル６１に印刷イメージ設定画面を表示する（ステップＳ１１３）。
【００９５】
図１０は、本発明の実施例２に係るインクジェット印刷装置２が備える操作部６０の表示／入力パネル６１に表示された印刷イメージ設定画面の一例を示した図である。
【００９６】
図１０に示すように、印刷イメージ設定画面には、色イメージ２０１として、図８に示した印刷媒体色テーブルの色イメージ２０１と同一の項目である“女性らしい／フェミニンな”、“かわいらしい”、“爽やかな／清潔な”、“幽玄な／神秘的な”、“自然な”の５つの項目が表示されている。
【００９７】
そして、印刷イメージ設定画面には、それぞれの色イメージ２０１に対応するサムネイル画像３０１が表示されている。
【００９８】
ここで、このサムネイル画像３０１は、制御部７０により生成され表示される。具体的には、まず、制御部７０は、印刷媒体色テーブルに基づいて、色イメージ毎に、印刷部５０により主として使用されるインクであるメインインクのインク色に基づいて、印刷用紙の色を決定する。
【００９９】
そして、制御部７０は、色イメージ毎に、メインインクのインク色と、サブインクのインク色と、印刷用紙の色とを用いてサムネイル画像３０１を生成し、この生成したサムネイル画像３０１を操作部６０の表示／入力パネル６１に表示させる。
【０１００】
また、印刷イメージ設定画面には、“女性らしい／フェミニンな”、“かわいらしい”、“爽やかな／清潔な”、“幽玄な／神秘的な”、“自然な”の５つの色イメージのうち、いずれか１つを選択可能なラジオボタン３０２が表示されており、このラジオボタン３０２の１つが選択された状態で、ＯＫボタン３０４が押下操作されることにより、色イメージが選択される。
【０１０１】
ステップＳ１１５において、色イメージが選択されると、選択部７３は、印刷媒体色テーブルに基づいて、ステップＳ１１５において選択された色イメージと、メインインクのインク色とに対応する印刷用紙の色を決定する（ステップＳ１１７）。
【０１０２】
次に、選択部７３は、ステップＳ１１１又はＳ１１７において決定された印刷用紙の色と、色素の系統が一致する画素が存在するか否かを判定する（ステップＳ１１９）。
【０１０３】
具体的には、選択部７３は、表２に示したＣＭＹ基準表を用いて、ステップＳ１０３において取得された画素毎の色から、シアン系、マゼンタ系、イエロー系毎に属する画素数を計数し、それぞれシアン系、マゼンタ系、イエロー系に該当する画素があるか否かを判定する。そして、選択部７３は、それぞれシアン系、マゼンタ系、イエロー系に該当する画素があると判定された場合、ステップＳ１１１又はＳ１１７において決定された印刷用紙の色が、シアン系、マゼンタ系、イエロー系のうち、該当する画素があると判定された色の系統に含まれる場合、決定された印刷用紙の色と、色素の系統が一致する画素が存在すると判定する。
【表２】
2012126068.tif 000004
【０１０４】
例えば、ステップＳ１１１又はＳ１１７において決定された印刷用紙の色が、“イエロー”であり、ステップＳ１０３において取得された画素の色にイエロー系があると判定された場合、印刷用紙の色と、色素の系統が一致する画素が存在すると判定する。
【０１０５】
ステップＳ１１９において、印刷用紙の色と、色素の系統が一致する画素が存在すると判定された場合（ＹＥＳの場合）、選択部７３は、操作部６０の表示／入力パネル６１に、色が隠れてしまう箇所が存在することを示した警告画面を表示する（ステップＳ１２１）。
【０１０６】
図１１は、本発明の実施例２に係るインクジェット印刷装置２が備える操作部６０の表示／入力パネル６１に表示された警告画面の一例を示した図である。
【０１０７】
図１１に示すように、警告画面には、色が隠れてしまう箇所が存在することを示した警告文６０１と、ステップＳ１１１又はＳ１１７において決定された印刷用紙の色に印刷した場合におけるサムネイル画像を表示させる。
【０１０８】
そして、図１１に示した警告画面において、利用者操作により中止ボタン６０４が選択された場合、印刷用紙の選択の中止が要求されたと判定し（ステップＳ１２３におけるＮＯの場合）、選択部７３は、操作部６０の表示／入力パネル６１に、白紙で印刷する旨の警告文と白紙（ホワイトの印刷用紙）に印刷した場合におけるサムネイル画像を有する警告画面を表示する（ステップＳ１２５）。
【０１０９】
次に、ステップＳ１２５において表示した警告画面において、利用者操作により継続ボタン６０３が選択された場合、印刷用紙の選択の継続が要求されたと判定し（ステップＳ１２７におけるＹＥＳの場合）、選択部７３は、印刷用紙の色を“ホワイト”へ変更する（ステップＳ１２９）。
【０１１０】
一方、ステップＳ１１９において、印刷用紙の色と、色素の系統が一致する画素が存在しないと判定された場合（ＮＯの場合）、選択部７３は、第１〜第３給紙トレイ２１〜２３をのうち、選択された印刷用紙の色に対応する印刷用紙が載置された給紙トレイを選択する（ステップＳ１３３）。例えば、印刷用紙の色が“イエロー”と決定された場合、イエローの印刷用紙が載置された第２給紙トレイ２２を選択する。
【０１１１】
次に、機器制御部７５は、印刷処理を実行する（ステップＳ１３５）。具体的には、機器制御部７５は、ステップＳ１０２又はＳ１３３において、選択された給紙トレイから印刷用紙を印刷部５０へ給紙し、４色のインクのうち選択された２色のインクをそれぞれインクジェットヘッドから吐出することにより、給紙された印刷用紙に印刷する。
【０１１２】
図１２は、本発明の実施例２に係るインクジェット印刷装置２において印刷された印刷用紙の例を示した図である。図１２（ａ）〜（ｃ）が、画像読み取り部６２により読み込まれた画像データの一例を示しており、図１２（ｄ）は、図１２（ａ）に示した画像データを印刷した場合の印刷用紙の例を示しており、図１２（ｅ）は、図１２（ｂ）に示した画像データを印刷した場合の印刷用紙の例を示しており、図１２（ｆ），（ｇ）は、図１２（ｃ）に示した画像データを印刷した場合の印刷用紙の例を示している。
【０１１３】
図１２（ａ）に示した画像データでは、“ホワイト”の背景４０１に、“赤”のリンゴ本体４０２と、“緑”のリンゴの葉４０３とが描かれている。
【０１１４】
この画像データでは、赤系、緑系、青系のうち最も多い画素の色は、リンゴ本体４０２に用いられている“赤系”であるので、補正色として“赤系”が決定される。
【０１１５】
次に、印刷部５０で使用されるインクのインク色が、“マゼンタ”と“ブラック”であり、第１〜第３給紙色センサ２５〜２７により取得された印刷用紙の色が、“マゼンタ”、“イエロー”、“ホワイト”であった場合、補正可能色テーブルに基づいて、インク色“マゼンタ”及び“ブラック”と、印刷用紙の色“マゼンタ”、“イエロー”との組合せに関連する補正可能色として、“赤系”が抽出される。
【０１１６】
このように、補正色が“赤系”として決定されており、補正可能色として、“赤系”が抽出された場合、補正可能色テーブルに基づいて、補正色に対応する印刷用紙の色として“イエロー”が抽出される。
【０１１７】
そして、図１２（ｄ）に示すように、抽出された“イエロー”の印刷用紙５０１に、“マゼンタ”のインクが用いられてリンゴ本体５０２が印刷される。これにより、印刷用紙の色“イエロー”に、インク色“マゼンタ”が重なり合うので、リンゴ本体５０２は赤く表現される。なお、図１２（ｄ）に示す実線の枠が“ブラック”のインクで印刷されている。
【０１１８】
また、図１２（ｂ）に示した画像データでは、“青”の背景４０４に、“赤”のリンゴ本体４０２と、“緑”のリンゴの葉４０３とが描かれている。
【０１１９】
この画像データでは、赤系、緑系、青系のうち最も多い画素の色は、背景４０１に用いられている“青系”であるので、補正色として“青系”が決定される。
【０１２０】
次に、印刷部５０で使用されるインクのインク色が、“マゼンタ”と“ブラック”であり、第１〜第３給紙色センサ２５〜２７により取得された印刷用紙の色が、“マゼンタ”、“イエロー”、“ホワイト”であった場合、補正可能色テーブルに基づいて、インク色“マゼンタ”及び“ブラック”と、印刷用紙の色“マゼンタ”、“イエロー”、“ホワイト”との組合せに関連する補正可能色として、“赤系”が抽出される。
【０１２１】
このように、補正色が“青系”として決定されており、補正可能色として、“赤系”が抽出され、例えば、利用者操作により色イメージとして“女性らしいフェミニンな”が選択された場合、印刷媒体色テーブルに基づいて、印刷用紙の色として“イエロー”が抽出される。
【０１２２】
そして、図１２（ｅ）に示すように、抽出された“イエロー”の印刷用紙５０１に、“マゼンタ”のインクが用いられてリンゴ本体５０２が印刷される。これにより、印刷用紙の色“イエロー”に、インク色“マゼンタ”が重なり合うので、リンゴ本体５０２は赤く表現される。
【０１２３】
図１２（ｃ）に示した画像データでは、“ホワイト”の背景４０１に、“赤”のリンゴ本体４０２と、“緑”のリンゴの葉４０３と、“黄色”のレモン４０５が描かれている。
【０１２４】
この画像データでは、赤系、緑系、青系のうち最も多い画素の色は、リンゴ本体４０２に用いられている“赤系”であるので、補正色として“赤系”が決定される。
【０１２５】
次に、印刷部５０で使用されるインクのインク色が、“マゼンタ”と“イエロー”であり、第１〜第３給紙色センサ２５〜２７により取得された印刷用紙の色が、“マゼンタ”、“イエロー”、“ホワイト”であった場合、補正可能色テーブルに基づいて、インク色“マゼンタ”及び“イエロー”と、印刷用紙の色“マゼンタ”、“イエロー”との組合せに関連する補正可能色として、“赤系”が抽出される。
【０１２６】
このように、補正色が“赤系”として決定されており、補正可能色として、“赤系”が抽出された場合、この補正色に対応する印刷用紙の色として“イエロー”が抽出される。
【０１２７】
一方、画素データにイエロー系に属する画素があり、これは抽出された印刷用紙の色“イエロー”と一致するので、印刷用紙の色“イエロー”に画像データを印刷した場合、図１２（ｆ）に示すように、“イエロー”の印刷用紙５０１に、“黄色”のレモン５０５が印刷されるので、利用者にとって見え難い色表現となる。
【０１２８】
そのため、図１２（ｇ）に示すように、利用者操作に基づいて、“ホワイト”の印刷用紙５０６に、“マゼンタ”のリンゴ本体４０２と、“黄色”のレモン５０５とが印刷されている。これにより、利用者にとって見え難い色表現を避けた印刷が可能となる。
【０１２９】
以上のように、本発明の実施例２に係るインクジェット印刷装置２によれば、画像色取得部７１により取得された画素毎の色に基づいて、最も多い色を補正色として決定し、補正可能色テーブルに基づいて、印刷部５０で使用されるインクのインク色と、印刷媒体色取得部７２により取得された印刷用紙の色とに関連する１以上の補正可能色を選択し、選択された１以上の補正可能色の中に、補正色が含まれている場合に、補正色に対応する印刷用紙の色を抽出し、この抽出された色の印刷用紙が載置された給紙台を選択するので、４色のインクのうち２色のみを使用して印刷する場合においても、画像の色と印刷用紙の色とが重なり合うことでユーザが想定していた色表現が可能となる。
【０１３０】
なお、本発明の実施例１〜２では、ライン単位で印刷を行うインクジェット方式のインクジェット印刷装置を例に挙げて説明したが、これに限らず、シリアルインクジェット方式、レーザ方式、又は孔版印刷方式等の印刷装置であってもよい。
【符号の説明】
【０１３１】
１，２…インクジェット印刷装置
２０…給紙部
２１〜２３…第１〜第３給紙トレイ
２５〜２７…第１〜第３給紙色センサ
５０…印刷部
５１…シアンインクジェトヘッド
５２…マゼンタインクジェトヘッド
５３…イエローインクジェトヘッド
５４…ブラックインクジェトヘッド
６０…操作部
６１…表示／入力パネル
６２…画像読み取り部
６３…外部インタフェース部
７０…制御部
７１…画像色取得部
７２，７７…印刷媒体色取得部
７２…画像色取得部
７３，７６…選択部
７４…色補正部
７５…機器制御部
８０…ハードディスク
８１…補正可能色テーブル記憶部
８２…印刷媒体色テーブル記憶部
８３…最適印刷媒体色テーブル記憶部
８４…類似印刷媒体色テーブル記憶部
【図１】
2012126068.tif 000005
【図２】
2012126068.tif 000006
【図３】
2012126068.tif 000007
【図４】
2012126068.tif 000008
【図５】
2012126068.tif 000009
【図６】
2012126068.tif 000010
【図７】
2012126068.tif 000011
【図８】
2012126068.tif 000012
【図９】
2012126068.tif 000013
【図１０】
2012126068.tif 000014
【図１１】
2012126068.tif 000015
【図１２】
2012126068.tif 000016